(57)【要約】【課題】本発明は家庭用のひまわりの種の殻剥き器を開示した。【解決手段】外殻を含み、前記外殻の中には上チャンバが設置され、前記上チャンバの頂壁には上に開口した入り口が設置され、前記外殻の頂部端面にはホッパーが固定的に取り付けられ、前記上チャンバの中にはひまわりの種を振り動かせる振動部品が設置され、前記上チャンバの後側には後チャンバが設置され、前記後チャンバと前記上チャンバの間にはひまわりの種の外殻を除く殻剥き部品が設置され、前記殻剥き部品は前記上チャンバの右側壁の中に位置するスライドボード溝を含み、前記スライドボード溝の中にはスライドボードがスライドできるように取り付けられ、前記上チャンバの中には前記スライドボードと噛み合う伝動輪が設置され、前記上チャンバの中には碾き輪が設置される。【選択図】図１
2020175056.tif 000002
【特許請求の範囲】
【請求項１】
家庭用のひまわりの種の殻剥き器であって、外殻を含み、前記外殻の中には上チャンバが設置され、前記上チャンバの頂壁には上に開口した入り口が設置され、前記外殻の頂部端面にはホッパーが固定的に取り付けられ、前記上チャンバの中にはひまわりの種を振り動かせる振動部品が設置され、前記上チャンバの後側には後チャンバが設置され、前記後チャンバと前記上チャンバの間にはひまわりの種の外殻を除く殻剥き部品が設置され、前記殻剥き部品は前記上チャンバの右側壁の中に位置するスライドボード溝を含み、前記スライドボード溝の中にはスライドボードがスライドできるように取り付けられ、前記上チャンバの中には前記スライドボードと噛み合う伝動輪が設置され、前記上チャンバの中には碾き輪が設置され、前記碾き輪と前記スライドボードとの協働によってひまわりの種の殻をむき、前記上チャンバの下方には下チャンバが設置され、前記下チャンバと前記上チャンバとの間には通り道が連通して設置され、前記下チャンバの中に及び前記外殻の左右両側の端面にはひまわりの種の殻とひまわりの種の実とを分離させる分離部品が設置され、前記分離部品は前記下チャンバの左側壁の中に回転できるように取り付けられる羽根軸を含み、前記後チャンバの中には前記羽根軸と、前記伝動輪と前記碾き輪の回転を制御する伝動部品が設置されることを特徴とする家庭用のひまわりの種の殻剥き器。
【請求項２】
前記振動部品は前記上チャンバの頂壁に固定的に取り付けられる左右に対称的な振動ボードを含み、左右両側の前記振動ボードの間にはひまわりの種送りボードが固定的に取り付けられ、前記ひまわりの種送りボードの中には均一分布の上下に貫通したひまわりの種係止穴が設置され、前記振動ボードの中には振動ブロックが固定的に取り付けられており、
振動ブロックが振動する時、ひまわりの種がひまわりの種係止穴の中に入れることを特徴とする請求項１に記載の家庭用のひまわりの種の殻剥き器。
【請求項３】
前記殻剥き部品は前記スライドボードの中に位置する均一分布の上下に貫通した殻剥き溝を含み、前記上チャンバの前側壁の中にはモーターが固定的に取り付けられ、前記モーターの後側の出力軸には前記後チャンバの後側壁と回転できるように連結される回転軸Ａが固定的に連結され、前記伝動輪が前記回転軸Ａに固定的に取り付けられ、前記後チャンバの後側壁と前記上チャンバの前側壁の間には回転軸Ｂが回転できるように取り付けられ、前記碾き輪が前記回転軸Ｂに固定的に取り付けられ、前記上チャンバの左側壁の中には左スライド溝が設置され、前記左スライド溝とスライドボード溝の中には対称的な位置感応部品が設置され、左側の前記位置感応部品を例にして説明し、前記位置感応部品は前記左スライド溝の中にスライドできるように取り付けられる推しブロック及びスライダを含み、前記スライダの右端面には接触ブロックが固定的に取り付けられ、前記スライダと前記推しブロックの間には撥条Ａが設置され、前記スライダと前記左スライド溝との間には撥条Ｂが設置されており、
ひまわりの種が殻剥き溝の中に入って止められ、モーターが始動してスライドボードを左へ移動連動させ、碾き輪が回転し、ひまわりの種の殻を潰し、ひまわりの種の実とひまわりの種の殻が殻剥き溝の中から下へ落ち、推しブロックと接触ブロックとが接触した後モーターが反方向に回転して復帰し、右側の接触ブロックが推しブロックと接触した後モーターが正方向に回転することを特徴とする請求項１に記載の家庭用のひまわりの種の殻剥き器。
【請求項４】
前記分離部品は前記下チャンバの左側壁に位置する左に開口した吸気口を含み、前記下チャンバの右側壁には右に開口した排気口が設置され、前記下チャンバの左側壁には左に開口した左出口が設置され、前記左出口の底壁には左スライドボードが固定的に取り付けられ、前記下チャンバの右側壁には右に開口した右出口が設置され、前記右出口の底壁には右スライドボードが固定的に取り付けられ、前記外殻の左右両側端面にはＬ型固定ブロックが対称的に固定的に取り付けられ、左側の前記Ｌ型固定ブロックにはひまわりの種の実収集器がスライドできるように取り付けられ、右側の前記Ｌ型固定ブロックにはひまわりの種の殻収集器がスライドできるように取り付けられ、前記ひまわりの種の実収集器はひまわりの種の実碗を含み、前記ひまわりの種の殻収集器はひまわりの種の殻碗を含み、前記ひまわりの種の実碗の右端面及び前記ひまわりの種の殻碗の左端面にはＬ型スライダが固定的に取り付けられ、羽根軸が回転してそよ風を吹き、ひまわりの種の実が左スライドボードに落ちて左スライドボードに沿ってひまわりの種の実碗の中に滑り込み、ひまわりの種の殻が右スライドボードに落ちてひまわりの種の殻碗の中に滑り込むことを特徴とする請求項１に記載の家庭用のひまわりの種の殻剥き器。
【請求項５】
前記伝動部品は前記羽軸に固定的に取り付けられる傘歯車Ａを含み、前記回転軸Ａにおいて前記後チャンバの中には二つのプーリＡが固定的に取り付けられ、前記回転軸Ｂにおいて前記後チャンバの中にはプーリＢが固定的に取り付けられ、前記プーリＢと前側の前記プーリＡとの間にはベルトＡが伝動できるように取り付けられ、前記後チャンバの後側壁の中には回転軸Ｃが回転できるように取り付けられ、前記回転軸ＣにはプーリＣが固定的に取り付けられ、前記プーリＣと後側の前記プーリＡとの間にはベルトＢが伝動できるように取り付けられ、前記後チャンバの前側壁の中には前記下チャンバの中に伸びている回転軸Ｄが回転できるように取り付けられ、前記回転軸Ｄの前側端面には前記傘歯車Ａと噛み合う傘歯車Ｂが固定的に取り付けられ、前記回転軸Ｄと前記回転軸Ｃとがラチェットによって協働し、回転軸Ａが正方向に回転する時碾き輪と羽根軸を回転連動させ、回転軸Ａが反方向に回転する時、回転軸Ｄを反方向に回転連動させることができないことを特徴とする請求項１に記載の家庭用のひまわりの種の殻剥き器。
【発明の詳細な説明】
【技術分野】
【０００１】
本発明はひまわりの種の殻剥きの分野を取り上げて、具体的には家庭用のひまわりの種の殻剥き器である。
【背景技術】
【０００２】
歯が良くない人にとってひまわりの種の殻を剥くのが力がたくさんかかり、それにひまわりの種を剥くのは歯を摩損し、そのため市場には殻剥きタイプのひまわりの種が売られており、ところが剥いたひまわりの種の値段はひまわりの種よりはるかに高く、手動で殻を剥くのは時間が大変かかってややこしい。
【先行技術文献】
【特許文献】
【０００３】
【特許文献１】中国特許出願公開第１０９５６７６３２号明細書
【発明の概要】
【発明が解決しようとする課題】
【０００４】
本発明の目的は家庭用のひまわりの種の殻剥き器を提供し、現有の技術の上記欠点を克服できる。
【課題を解決するための手段】
【０００５】
本発明の実施例における家庭用のひまわりの種の殻剥き器は、外殻を含み、前記外殻の中には上チャンバが設置され、前記上チャンバの頂壁には上に開口した入り口が設置され、前記外殻の頂部端面にはホッパーが固定的に取り付けられ、前記上チャンバの中にはひまわりの種を振り動かせる振動部品が設置され、前記上チャンバの後側には後チャンバが設置され、前記後チャンバと前記上チャンバの間にはひまわりの種の外殻を除く殻剥き部品が設置され、前記殻剥き部品は前記上チャンバの右側壁の中に位置するスライドボード溝を含み、前記スライドボード溝の中にはスライドボードがスライドできるように取り付けられ、前記上チャンバの中には前記スライドボードと噛み合う伝動輪が設置され、前記上チャンバの中には碾き輪が設置され、前記碾き輪と前記スライドボードとの協働によってひまわりの種の殻をむき、前記上チャンバの下方には下チャンバが設置され、前記下チャンバと前記上チャンバとの間には通り道が連通して設置され、前記下チャンバの中に及び前記外殻の左右両側の端面にはひまわりの種の殻とひまわりの種の実とを分離させる分離部品が設置され、前記分離部品は前記下チャンバの左側壁の中に回転できるように取り付けられる羽根軸を含み、前記後チャンバの中には前記羽根軸と、前記伝動輪と前記碾き輪の回転を制御する伝動部品が設置される。
【０００６】
更なる技術方案、前記振動部品は前記上チャンバの頂壁に固定的に取り付けられる左右に対称的な振動ボードを含み、左右両側の前記振動ボードの間にはひまわりの種送りボードが固定的に取り付けられ、前記ひまわりの種送りボードの中には均一分布の上下に貫通したひまわりの種係止穴が設置され、前記振動ボードの中には振動ブロックが固定的に取り付けられている。
【０００７】
更なる技術方案、前記殻剥き部品は前記スライドボードの中に位置する均一分布の上下に貫通した殻剥き溝を含み、前記上チャンバの前側壁の中にはモーターが固定的に取り付けられ、前記モーターの後側の出力軸には前記後チャンバの後側壁と回転できるように連結される回転軸Ａが固定的に連結され、前記伝動輪が前記回転軸Ａに固定的に取り付けられ、前記後チャンバの後側壁と前記上チャンバの前側壁の間には回転軸Ｂが回転できるように取り付けられ、前記碾き輪が前記回転軸Ｂに固定的に取り付けられ、前記上チャンバの左側壁の中には左スライド溝が設置され、前記左スライド溝とスライドボード溝の中には対称的な位置感応部品が設置され、左側の前記位置感応部品を例にして説明し、前記位置感応部品は前記左スライド溝の中にスライドできるように取り付けられる推しブロック及びスライダを含み、前記スライダの右端面には接触ブロックが固定的に取り付けられ、前記スライダと前記推しブロックの間には撥条Ａが設置され、前記スライダと前記左スライド溝との間には撥条Ｂが設置されている。
【０００８】
更なる技術方案、前記分離部品は前記下チャンバの左側壁に位置する左に開口した吸気口を含み、前記下チャンバの右側壁には右に開口した排気口が設置され、前記下チャンバの左側壁には左に開口した左出口が設置され、前記左出口の底壁には左スライドボードが固定的に取り付けられ、前記下チャンバの右側壁には右に開口した右出口が設置され、前記右出口の底壁には右スライドボードが固定的に取り付けられ、前記外殻の左右両側端面にはＬ型固定ブロックが対称的に固定的に取り付けられ、左側の前記Ｌ型固定ブロックにはひまわりの種の実収集器がスライドできるように取り付けられ、右側の前記Ｌ型固定ブロックにはひまわりの種の殻収集器がスライドできるように取り付けられ、前記ひまわりの種の実収集器はひまわりの種の実碗を含み、前記ひまわりの種の殻収集器はひまわりの種の殻碗を含み、前記ひまわりの種の実碗の右端面及び前記ひまわりの種の殻碗の左端面にはＬ型スライダが固定的に取り付けられている。
【０００９】
更なる技術方案、前記伝動部品は前記羽軸に固定的に取り付けられる傘歯車Ａを含み、前記回転軸Ａにおいて前記後チャンバの中には二つのプーリＡが固定的に取り付けられ、前記回転軸Ｂにおいて前記後チャンバの中にはプーリＢが固定的に取り付けられ、前記プーリＢと前側の前記プーリＡとの間にはベルトＡが伝動できるように取り付けられ、前記後チャンバの後側壁の中には回転軸Ｃが回転できるように取り付けられ、前記回転軸ＣにはプーリＣが固定的に取り付けられ、前記プーリＣと後側の前記プーリＡとの間にはベルトＢが伝動できるように取り付けられ、前記後チャンバの前側壁の中には前記下チャンバの中に伸びている回転軸Ｄが回転できるように取り付けられ、前記回転軸Ｄの前側端面には前記傘歯車Ａと噛み合う傘歯車Ｂが固定的に取り付けられ、前記回転軸Ｄと前記回転軸Ｃとがラチェットによって協働する。
【発明の効果】
【００１０】
本発明の有益な効果は下記の通りである：
【００１１】
装置は体積が小さくて構成が簡単で、家庭の使用に適用し、ひまわりの種の殻を剥いた後ひまわりの種の実とひまわりの種の殻とを分けて送出し、ひまわりの種を剥く時に歯に対する摩損を回避でき、同時に早く剥いて得るひまわりの種の実をケーキなどの制作に使われ、普及する価値がある。
【図面の簡単な説明】
【００１２】
【図１】図１は本発明の全体構成模式図
【図２】図２は本発明の前断面図
【図３】図３は図１のＡの拡大模式図
【図４】図４は図１のＢの拡大模式図
【図５】図５は図１のＣの拡大模式図
【図６】図６は図１のＤ−Ｄの方向の断面構成模式図
【図７】図７は図４のＥ−Ｅの方向の断面構成模式図
【発明を実施するための形態】
【００１３】
以下は図１−７について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−７を参考して、本発明の実施例における家庭用のひまわりの種の殻剥き器は、外殻１０を含み、前記外殻１０の中には上チャンバ１１が設置され、前記上チャンバ１１の頂壁には上に開口した入り口１４が設置され、前記外殻１０の頂部端面にはホッパー１３が固定的に取り付けられ、前記上チャンバ１１の中にはひまわりの種を振り動かせる振動部品９０１が設置され、前記上チャンバ１１の後側には後チャンバ３６が設置され、前記後チャンバ３６と前記上チャンバ１１の間にはひまわりの種の外殻を除く殻剥き部品９０２が設置され、前記殻剥き部品９０２は前記上チャンバ１１の右側壁の中に位置するスライドボード溝２０を含み、前記スライドボード溝２０の中にはスライドボード２１がスライドできるように取り付けられ、前記上チャンバ１１の中には前記スライドボード２１と噛み合う伝動輪２３が設置され、前記上チャンバ１１の中には碾き輪１２が設置され、前記碾き輪１２と前記スライドボード２１との協働によってひまわりの種の殻をむき、前記上チャンバ１１の下方には下チャンバ２５が設置され、前記下チャンバ２５と前記上チャンバ１１との間には通り道２４が連通して設置され、前記下チャンバ２５の中に及び前記外殻１０の左右両側の端面にはひまわりの種の殻とひまわりの種の実とを分離させる分離部品９０３が設置され、前記分離部品９０３は前記下チャンバ２５の左側壁の中に回転できるように取り付けられる羽根軸５４を含み、前記後チャンバ３６の中には前記羽根軸５４と、前記伝動輪２３と前記碾き輪１２の回転を制御する伝動部品９０４が設置される。
【００１５】
有益又は例示的に、前記振動部品９０１は前記上チャンバ１１の頂壁に固定的に取り付けられる左右に対称的な振動ボード１５を含み、左右両側の前記振動ボード１５の間にはひまわりの種送りボード１７が固定的に取り付けられ、前記ひまわりの種送りボード１７の中には均一分布の上下に貫通したひまわりの種係止穴１８が設置され、前記振動ボード１５の中には振動ブロック１６が固定的に取り付けられ、
振動ブロック１６が振動する時、ひまわりの種がひまわりの種係止穴１８の中に入れる。
【００１６】
有益又は例示的に、前記殻剥き部品９０２は前記スライドボード２１の中に位置する均一分布の上下に貫通した殻剥き溝２２を含み、前記上チャンバ１１の前側壁の中にはモーター５８が固定的に取り付けられ、前記モーター５８の後側の出力軸には前記後チャンバ３６の後側壁と回転できるように連結される回転軸Ａ４１が固定的に連結され、前記伝動輪２３が前記回転軸Ａ４１に固定的に取り付けられ、前記後チャンバ３６の後側壁と前記上チャンバ１１の前側壁の間には回転軸Ｂ３７が回転できるように取り付けられ、前記碾き輪１２が前記回転軸Ｂ３７に固定的に取り付けられ、前記上チャンバ１１の左側壁の中には左スライド溝４６が設置され、前記左スライド溝４６とスライドボード溝２０の中には対称的な位置感応部品８０１が設置され、左側の前記位置感応部品８０１を例にして説明し、前記位置感応部品８０１は前記左スライド溝４６の中にスライドできるように取り付けられる推しブロック４７及びスライダ５１を含み、前記スライダ５１の右端面には接触ブロック２０が固定的に取り付けられ、前記スライダ５１と前記推しブロック４７の間には撥条Ａ４８が設置され、前記スライダ５１と前記左スライド溝４６との間には撥条Ｂ５２が設置されており、
ひまわりの種が殻剥き溝２２の中に入って止められ、モーター５８が始動してスライドボード２１を左へ移動連動させ、碾き輪１２が回転し、ひまわりの種の殻を潰し、ひまわりの種の実とひまわりの種の殻が殻剥き溝２２の中から下へ落ち、推しブロック４７と接触ブロック５０とが接触した後モーター５８が反方向に回転して復帰し、右側の接触ブロック５０が推しブロック４７と接触した後モーター５８が正方向に回転する。
【００１７】
有益又は例示的に、前記分離部品９０３は前記下チャンバ２５の左側壁に位置する左に開口した吸気口２６を含み、前記下チャンバ２５の右側壁には右に開口した排気口３９が設置され、前記下チャンバ２５の左側壁には左に開口した左出口２８が設置され、前記左出口２８の底壁には左スライドボード３０が固定的に取り付けられ、前記下チャンバ２５の右側壁には右に開口した右出口３１が設置され、前記右出口３１の底壁には右スライドボード３２が固定的に取り付けられ、前記外殻１０の左右両側端面にはＬ型固定ブロック５７が対称的に固定的に取り付けられ、左側の前記Ｌ型固定ブロック５７にはひまわりの種の実収集器７０１がスライドできるように取り付けられ、右側の前記Ｌ型固定ブロック５７にはひまわりの種の殻収集器７０２がスライドできるように取り付けられ、前記ひまわりの種の実収集器はひまわりの種の実碗３３を含み、前記ひまわりの種の殻収集器７０２はひまわりの種の殻碗３４を含み、前記ひまわりの種の実碗３３の右端面及び前記ひまわりの種の殻碗３４の左端面にはＬ型スライダ５６が固定的に取り付けられ、羽根軸５４が回転してそよ風を吹き、ひまわりの種の実が左スライドボード３０に落ちて左スライドボード３０に沿ってひまわりの種の実碗３３の中に滑り込み、ひまわりの種の殻が右スライドボード３２に落ちてひまわりの種の殻碗３４の中に滑り込む。
【００１８】
有益又は例示的に、前記伝動部品９０４は前記羽軸５４に固定的に取り付けられる傘歯車Ａ５５を含み、前記回転軸Ａ４１において前記後チャンバ３６の中には二つのプーリＡ４２が固定的に取り付けられ、前記回転軸Ｂ３７において前記後チャンバ３６の中にはプーリＢ３８が固定的に取り付けられ、前記プーリＢ３８と前側の前記プーリＡ４２との間にはベルトＡ４０が伝動できるように取り付けられ、前記後チャンバ３６の後側壁の中には回転軸Ｃ４４が回転できるように取り付けられ、前記回転軸Ｃ４４にはプーリＣ４５が固定的に取り付けられ、前記プーリＣ４５と後側の前記プーリＡ４２との間にはベルトＢ４３が伝動できるように取り付けられ、前記後チャンバ３６の前側壁の中には前記下チャンバ２５の中に伸びている回転軸Ｄ６０が回転できるように取り付けられ、前記回転軸Ｄ６０の前側端面には前記傘歯車Ａ５５と噛み合う傘歯車Ｂ５３が固定的に取り付けられ、前記回転軸Ｄ６０と前記回転軸Ｃ４４とがラチェットによって協働し、回転軸Ａ４１が正方向に回転する時碾き輪１２と羽根軸５４を回転連動させ、回転軸Ａ４１が反方向に回転する時、回転軸Ｄ６０を反方向に回転連動させることができない。
【００１９】
使用する時、ひまわりの種がホッパー１３の中に入れられた後ひまわりの種送りボード１７の表面に落ち、振動ブロック１６が始動して振動ボード１５を揺り始め、同時にひまわりの種送りボード１７及びひまわりの種送りボード１７の表面のひまわりの種を震動させ、ひまわりの種がひまわりの種係止穴１８の中に入り、ひまわりの種がひまわりの種係止穴１８の中に入った後下へ落ち、殻剥き溝２２の中に入って止められ、モーター５８が始動して回転軸Ａ４１を正方向に回転連動させ、回転軸Ａ４１が伝動輪２３を正方向に回転連動させ、伝動輪２３が噛合によってスライドボード２１を左へ移動連動させ、回転軸Ａ４１が正方向に回転してプーリＡ４２を正方向に回転連動させ、プーリＡ４２がベルトＡ４０及びベルトＢ４３を伝動連動させ、ベルトＡ４０及びベルトＢ４３が回転軸Ｂ３７と回転軸Ｃ４４とを正方向に回転連動させ、回転軸Ｂ３７が碾き輪１２を正方向に回転連動させ、スライドボード２１が碾き輪１２の下方に移動した後ひまわりの種が碾き輪１２に下へ押されて殻を割られ、同時に回転軸Ｃ４４が回転軸Ｄ６０を正方向に回転連動させ、回転軸Ｄ６０が傘歯車Ｂ５３を回転連動させ、傘歯車Ｂ５３が噛合によって傘歯車Ａ５５と羽根軸５４を回転連動させ、羽根軸５４が回転してそよ風を吹き始め、ひまわりの種の殻を右に吹き、ひまわりの種の実が左スライドボード３００に落ちて左スライドボード３０に沿ってひまわりの種の実碗３３の中に滑り込み、ひまわりの種の殻が右スライドボード３２に落ちてひまわりの種の殻碗３４の中に滑り込み、ひまわりの種の実とひまわりの種の殻が殻剥き溝２２の中から下へ落ち、スライドボード２１が左端に移動した後推しブロック４７を推して左へ移動させ、撥条Ａ４８がスライダ５１を押して左へ移動させ、推しブロック４７と接触ブロック５０とが接触した後モーター５８が段々停止し、撥条Ｂ５２がスライダ５１の衝撃力を緩和させ、その後モーター５８が反方向に回転して復帰する。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175056.tif 000003
【図２】
2020175056.tif 000004
【図３】
2020175056.tif 000005
【図４】
2020175056.tif 000006
【図５】
2020175056.tif 000007
【図６】
2020175056.tif 000008
【図７】
2020175056.tif 000009
【手続補正書】
【提出日】令和1年8月22日(2019.8.22)
【手続補正１】
【補正対象書類名】特許請求の範囲
【補正対象項目名】請求項５
【補正方法】変更
【補正の内容】
【請求項５】
前記伝動部品は前記羽根軸に固定的に取り付けられる傘歯車Ａを含み、前記回転軸Ａにおいて前記後チャンバの中には二つのプーリＡが固定的に取り付けられ、前記回転軸Ｂにおいて前記後チャンバの中にはプーリＢが固定的に取り付けられ、前記プーリＢと前側の前記プーリＡとの間にはベルトＡが伝動できるように取り付けられ、前記後チャンバの後側壁の中には回転軸Ｃが回転できるように取り付けられ、前記回転軸ＣにはプーリＣが固定的に取り付けられ、前記プーリＣと後側の前記プーリＡとの間にはベルトＢが伝動できるように取り付けられ、前記後チャンバの前側壁の中には前記下チャンバの中に伸びている回転軸Ｄが回転できるように取り付けられ、前記回転軸Ｄの前側端面には前記傘歯車Ａと噛み合う傘歯車Ｂが固定的に取り付けられ、前記回転軸Ｄと前記回転軸Ｃとがラチェットによって協働し、回転軸Ａが正方向に回転する時碾き輪と羽根軸を回転連動させ、回転軸Ａが反方向に回転する時、回転軸Ｄを反方向に回転連動させることができないことを特徴とする請求項３に記載の家庭用のひまわりの種の殻剥き器。
【手続補正２】
【補正対象書類名】明細書
【補正対象項目名】全文
【補正方法】変更
【補正の内容】
【発明の詳細な説明】
【技術分野】
【０００１】
本発明はひまわりの種の殻剥きの分野を取り上げて、具体的には家庭用のひまわりの種の殻剥き器である。
【背景技術】
【０００２】
歯が良くない人にとってひまわりの種の殻を剥くのが力がたくさんかかり、それにひまわりの種を剥くのは歯を摩損し、そのため市場には殻剥きタイプのひまわりの種が売られており、ところが剥いたひまわりの種の値段はひまわりの種よりはるかに高く、手動で殻を剥くのは時間が大変かかってややこしい。
【先行技術文献】
【特許文献】
【０００３】
【特許文献１】中国特許出願公開第１０９５６７６３２号明細書
【発明の概要】
【発明が解決しようとする課題】
【０００４】
本発明の目的は家庭用のひまわりの種の殻剥き器を提供し、現有の技術の上記欠点を克服できる。
【課題を解決するための手段】
【０００５】
本発明の実施例における家庭用のひまわりの種の殻剥き器は、外殻を含み、前記外殻の中には上チャンバが設置され、前記上チャンバの頂壁には上に開口した入り口が設置され、前記外殻の頂部端面にはホッパーが固定的に取り付けられ、前記上チャンバの中にはひまわりの種を振り動かせる振動部品が設置され、前記上チャンバの後側には後チャンバが設置され、前記後チャンバと前記上チャンバの間にはひまわりの種の外殻を除く殻剥き部品が設置され、前記殻剥き部品は前記上チャンバの右側壁の中に位置するスライドボード溝を含み、前記スライドボード溝の中にはスライドボードがスライドできるように取り付けられ、前記上チャンバの中には前記スライドボードと噛み合う伝動輪が設置され、前記上チャンバの中には碾き輪が設置され、前記碾き輪と前記スライドボードとの協働によってひまわりの種の殻をむき、前記上チャンバの下方には下チャンバが設置され、前記下チャンバと前記上チャンバとの間には通り道が連通して設置され、前記下チャンバの中に及び前記外殻の左右両側の端面にはひまわりの種の殻とひまわりの種の実とを分離させる分離部品が設置され、前記分離部品は前記下チャンバの左側壁の中に回転できるように取り付けられる羽根軸を含み、前記後チャンバの中には前記羽根軸と、前記伝動輪と前記碾き輪の回転を制御する伝動部品が設置される。
【０００６】
更なる技術方案、前記振動部品は前記上チャンバの頂壁に固定的に取り付けられる左右に対称的な振動ボードを含み、左右両側の前記振動ボードの間にはひまわりの種送りボードが固定的に取り付けられ、前記ひまわりの種送りボードの中には均一分布の上下に貫通したひまわりの種係止穴が設置され、前記振動ボードの中には振動ブロックが固定的に取り付けられている。
【０００７】
更なる技術方案、前記殻剥き部品は前記スライドボードの中に位置する均一分布の上下に貫通した殻剥き溝を含み、前記上チャンバの前側壁の中にはモーターが固定的に取り付けられ、前記モーターの後側の出力軸には前記後チャンバの後側壁と回転できるように連結される回転軸Ａが固定的に連結され、前記伝動輪が前記回転軸Ａに固定的に取り付けられ、前記後チャンバの後側壁と前記上チャンバの前側壁の間には回転軸Ｂが回転できるように取り付けられ、前記碾き輪が前記回転軸Ｂに固定的に取り付けられ、前記上チャンバの左側壁の中には左スライド溝が設置され、前記左スライド溝とスライドボード溝の中には対称的な位置感応部品が設置され、左側の前記位置感応部品を例にして説明し、前記位置感応部品は前記左スライド溝の中にスライドできるように取り付けられる推しブロック及びスライダを含み、前記スライダの右端面には接触ブロックが固定的に取り付けられ、前記スライダと前記推しブロックの間には撥条Ａが設置され、前記スライダと前記左スライド溝との間には撥条Ｂが設置されている。
【０００８】
更なる技術方案、前記分離部品は前記下チャンバの左側壁に位置する左に開口した吸気口を含み、前記下チャンバの右側壁には右に開口した排気口が設置され、前記下チャンバの左側壁には左に開口した左出口が設置され、前記左出口の底壁には左スライドボードが固定的に取り付けられ、前記下チャンバの右側壁には右に開口した右出口が設置され、前記右出口の底壁には右スライドボードが固定的に取り付けられ、前記外殻の左右両側端面にはＬ型固定ブロックが対称的に固定的に取り付けられ、左側の前記Ｌ型固定ブロックにはひまわりの種の実収集器がスライドできるように取り付けられ、右側の前記Ｌ型固定ブロックにはひまわりの種の殻収集器がスライドできるように取り付けられ、前記ひまわりの種の実収集器はひまわりの種の実碗を含み、前記ひまわりの種の殻収集器はひまわりの種の殻碗を含み、前記ひまわりの種の実碗の右端面及び前記ひまわりの種の殻碗の左端面にはＬ型スライダが固定的に取り付けられている。
【０００９】
更なる技術方案、前記伝動部品は前記羽根軸に固定的に取り付けられる傘歯車Ａを含み、前記回転軸Ａにおいて前記後チャンバの中には二つのプーリＡが固定的に取り付けられ、前記回転軸Ｂにおいて前記後チャンバの中にはプーリＢが固定的に取り付けられ、前記プーリＢと前側の前記プーリＡとの間にはベルトＡが伝動できるように取り付けられ、前記後チャンバの後側壁の中には回転軸Ｃが回転できるように取り付けられ、前記回転軸ＣにはプーリＣが固定的に取り付けられ、前記プーリＣと後側の前記プーリＡとの間にはベルトＢが伝動できるように取り付けられ、前記後チャンバの前側壁の中には前記下チャンバの中に伸びている回転軸Ｄが回転できるように取り付けられ、前記回転軸Ｄの前側端面には前記傘歯車Ａと噛み合う傘歯車Ｂが固定的に取り付けられ、前記回転軸Ｄと前記回転軸Ｃとがラチェットによって協働する。
【発明の効果】
【００１０】
本発明の有益な効果は下記の通りである：
【００１１】
装置は体積が小さくて構成が簡単で、家庭の使用に適用し、ひまわりの種の殻を剥いた後ひまわりの種の実とひまわりの種の殻とを分けて送出し、ひまわりの種を剥く時に歯に対する摩損を回避でき、同時に早く剥いて得るひまわりの種の実をケーキなどの制作に使われ、普及する価値がある。
【図面の簡単な説明】
【００１２】
【図１】図１は本発明の全体構成模式図
【図２】図２は本発明の前断面図
【図３】図３は図１のＡの拡大模式図
【図４】図４は図１のＢの拡大模式図
【図５】図５は図１のＣの拡大模式図
【図６】図６は図１のＤ−Ｄの方向の断面構成模式図
【図７】図７は図４のＥ−Ｅの方向の断面構成模式図
【発明を実施するための形態】
【００１３】
以下は図１−７について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−７を参考して、本発明の実施例における家庭用のひまわりの種の殻剥き器は、外殻１０を含み、前記外殻１０の中には上チャンバ１１が設置され、前記上チャンバ１１の頂壁には上に開口した入り口１４が設置され、前記外殻１０の頂部端面にはホッパー１３が固定的に取り付けられ、前記上チャンバ１１の中にはひまわりの種を振り動かせる振動部品９０１が設置され、前記上チャンバ１１の後側には後チャンバ３６が設置され、前記後チャンバ３６と前記上チャンバ１１の間にはひまわりの種の外殻を除く殻剥き部品９０２が設置され、前記殻剥き部品９０２は前記上チャンバ１１の右側壁の中に位置するスライドボード溝２０を含み、前記スライドボード溝２０の中にはスライドボード２１がスライドできるように取り付けられ、前記上チャンバ１１の中には前記スライドボード２１と噛み合う伝動輪２３が設置され、前記上チャンバ１１の中には碾き輪１２が設置され、前記碾き輪１２と前記スライドボード２１との協働によってひまわりの種の殻をむき、前記上チャンバ１１の下方には下チャンバ２５が設置され、前記下チャンバ２５と前記上チャンバ１１との間には通り道２４が連通して設置され、前記下チャンバ２５の中に及び前記外殻１０の左右両側の端面にはひまわりの種の殻とひまわりの種の実とを分離させる分離部品９０３が設置され、前記分離部品９０３は前記下チャンバ２５の左側壁の中に回転できるように取り付けられる羽根軸５４を含み、前記後チャンバ３６の中には前記羽根軸５４と、前記伝動輪２３と前記碾き輪１２の回転を制御する伝動部品９０４が設置される。
【００１５】
有益又は例示的に、前記振動部品９０１は前記上チャンバ１１の頂壁に固定的に取り付けられる左右に対称的な振動ボード１５を含み、左右両側の前記振動ボード１５の間にはひまわりの種送りボード１７が固定的に取り付けられ、前記ひまわりの種送りボード１７の中には均一分布の上下に貫通したひまわりの種係止穴１８が設置され、前記振動ボード１５の中には振動ブロック１６が固定的に取り付けられ、
振動ブロック１６が振動する時、ひまわりの種がひまわりの種係止穴１８の中に入れる。
【００１６】
有益又は例示的に、前記殻剥き部品９０２は前記スライドボード２１の中に位置する均一分布の上下に貫通した殻剥き溝２２を含み、前記上チャンバ１１の前側壁の中にはモーター５８が固定的に取り付けられ、前記モーター５８の後側の出力軸には前記後チャンバ３６の後側壁と回転できるように連結される回転軸Ａ４１が固定的に連結され、前記伝動輪２３が前記回転軸Ａ４１に固定的に取り付けられ、前記後チャンバ３６の後側壁と前記上チャンバ１１の前側壁の間には回転軸Ｂ３７が回転できるように取り付けられ、前記碾き輪１２が前記回転軸Ｂ３７に固定的に取り付けられ、前記上チャンバ１１の左側壁の中には左スライド溝４６が設置され、前記左スライド溝４６とスライドボード溝２０の中には対称的な位置感応部品８０１が設置され、左側の前記位置感応部品８０１を例にして説明し、前記位置感応部品８０１は前記左スライド溝４６の中にスライドできるように取り付けられる推しブロック４７及びスライダ５１を含み、前記スライダ５１の右端面には接触ブロック２０が固定的に取り付けられ、前記スライダ５１と前記推しブロック４７の間には撥条Ａ４８が設置され、前記スライダ５１と前記左スライド溝４６との間には撥条Ｂ５２が設置されており、
ひまわりの種が殻剥き溝２２の中に入って止められ、モーター５８が始動してスライドボード２１を左へ移動連動させ、碾き輪１２が回転し、ひまわりの種の殻を潰し、ひまわりの種の実とひまわりの種の殻が殻剥き溝２２の中から下へ落ち、推しブロック４７と接触ブロック５０とが接触した後モーター５８が反方向に回転して復帰し、右側の接触ブロック５０が推しブロック４７と接触した後モーター５８が正方向に回転する。
【００１７】
有益又は例示的に、前記分離部品９０３は前記下チャンバ２５の左側壁に位置する左に開口した吸気口２６を含み、前記下チャンバ２５の右側壁には右に開口した排気口３９が設置され、前記下チャンバ２５の左側壁には左に開口した左出口２８が設置され、前記左出口２８の底壁には左スライドボード３０が固定的に取り付けられ、前記下チャンバ２５の右側壁には右に開口した右出口３１が設置され、前記右出口３１の底壁には右スライドボード３２が固定的に取り付けられ、前記外殻１０の左右両側端面にはＬ型固定ブロック５７が対称的に固定的に取り付けられ、左側の前記Ｌ型固定ブロック５７にはひまわりの種の実収集器７０１がスライドできるように取り付けられ、右側の前記Ｌ型固定ブロック５７にはひまわりの種の殻収集器７０２がスライドできるように取り付けられ、前記ひまわりの種の実収集器はひまわりの種の実碗３３を含み、前記ひまわりの種の殻収集器７０２はひまわりの種の殻碗３４を含み、前記ひまわりの種の実碗３３の右端面及び前記ひまわりの種の殻碗３４の左端面にはＬ型スライダ５６が固定的に取り付けられ、羽根軸５４が回転してそよ風を吹き、ひまわりの種の実が左スライドボード３０に落ちて左スライドボード３０に沿ってひまわりの種の実碗３３の中に滑り込み、ひまわりの種の殻が右スライドボード３２に落ちてひまわりの種の殻碗３４の中に滑り込む。
【００１８】
有益又は例示的に、前記伝動部品９０４は前記羽根軸５４に固定的に取り付けられる傘歯車Ａ５５を含み、前記回転軸Ａ４１において前記後チャンバ３６の中には二つのプーリＡ４２が固定的に取り付けられ、前記回転軸Ｂ３７において前記後チャンバ３６の中にはプーリＢ３８が固定的に取り付けられ、前記プーリＢ３８と前側の前記プーリＡ４２との間にはベルトＡ４０が伝動できるように取り付けられ、前記後チャンバ３６の後側壁の中には回転軸Ｃ４４が回転できるように取り付けられ、前記回転軸Ｃ４４にはプーリＣ４５が固定的に取り付けられ、前記プーリＣ４５と後側の前記プーリＡ４２との間にはベルトＢ４３が伝動できるように取り付けられ、前記後チャンバ３６の前側壁の中には前記下チャンバ２５の中に伸びている回転軸Ｄ６０が回転できるように取り付けられ、前記回転軸Ｄ６０の前側端面には前記傘歯車Ａ５５と噛み合う傘歯車Ｂ５３が固定的に取り付けられ、前記回転軸Ｄ６０と前記回転軸Ｃ４４とがラチェットによって協働し、回転軸Ａ４１が正方向に回転する時碾き輪１２と羽根軸５４を回転連動させ、回転軸Ａ４１が反方向に回転する時、回転軸Ｄ６０を反方向に回転連動させることができない。
【００１９】
使用する時、ひまわりの種がホッパー１３の中に入れられた後ひまわりの種送りボード１７の表面に落ち、振動ブロック１６が始動して振動ボード１５を揺り始め、同時にひまわりの種送りボード１７及びひまわりの種送りボード１７の表面のひまわりの種を震動させ、ひまわりの種がひまわりの種係止穴１８の中に入り、ひまわりの種がひまわりの種係止穴１８の中に入った後下へ落ち、殻剥き溝２２の中に入って止められ、モーター５８が始動して回転軸Ａ４１を正方向に回転連動させ、回転軸Ａ４１が伝動輪２３を正方向に回転連動させ、伝動輪２３が噛合によってスライドボード２１を左へ移動連動させ、回転軸Ａ４１が正方向に回転してプーリＡ４２を正方向に回転連動させ、プーリＡ４２がベルトＡ４０及びベルトＢ４３を伝動連動させ、ベルトＡ４０及びベルトＢ４３が回転軸Ｂ３７と回転軸Ｃ４４とを正方向に回転連動させ、回転軸Ｂ３７が碾き輪１２を正方向に回転連動させ、スライドボード２１が碾き輪１２の下方に移動した後ひまわりの種が碾き輪１２に下へ押されて殻を割られ、同時に回転軸Ｃ４４が回転軸Ｄ６０を正方向に回転連動させ、回転軸Ｄ６０が傘歯車Ｂ５３を回転連動させ、傘歯車Ｂ５３が噛合によって傘歯車Ａ５５と羽根軸５４を回転連動させ、羽根軸５４が回転してそよ風を吹き始め、ひまわりの種の殻を右に吹き、ひまわりの種の実が左スライドボード３００に落ちて左スライドボード３０に沿ってひまわりの種の実碗３３の中に滑り込み、ひまわりの種の殻が右スライドボード３２に落ちてひまわりの種の殻碗３４の中に滑り込み、ひまわりの種の実とひまわりの種の殻が殻剥き溝２２の中から下へ落ち、スライドボード２１が左端に移動した後推しブロック４７を推して左へ移動させ、撥条Ａ４８がスライダ５１を押して左へ移動させ、推しブロック４７と接触ブロック５０とが接触した後モーター５８が段々停止し、撥条Ｂ５２がスライダ５１の衝撃力を緩和させ、その後モーター５８が反方向に回転して復帰する。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。